(57)【要約】【課題】改竄を検出可能にして印刷された文書の正当性を保証することができる画像処理装置及び印刷制御プログラムの提供。【解決手段】通信ネットワークに接続された機器から取得した文書、若しくは、画像読取部で読み取った文書を加工して印刷データを作成する画像処理装置であって、前記文書に合成する付加画像を取得する付加画像取得部と、前記文書が印刷される用紙を長辺同士又は短辺同士が当接又は相重なるように順番に並べた時に、隣り合う用紙を跨ぐ位置に前記付加画像を配置し、前記隣り合う用紙の境界で前記付加画像を分割して、各々の用紙に対応する分割画像を作成する付加画像加工部と、前記各々の用紙に印刷される文書の画像に当該用紙に対応する前記分割画像を合成して、印刷データを作成する画像処理部と、を備える。【選択図】図１
2012119789.tif 000002
【特許請求の範囲】
【請求項１】
通信ネットワークに接続された機器から取得した文書、若しくは、画像読取部で読み取った文書を加工して印刷データを作成する画像処理装置であって、
前記文書に合成する付加画像を取得する付加画像取得部と、
前記文書が印刷される用紙を長辺同士又は短辺同士が当接又は相重なるように順番に並べた時に、隣り合う用紙を跨ぐ位置に前記付加画像を配置し、前記隣り合う用紙の境界で前記付加画像を分割して、各々の用紙に対応する分割画像を作成する付加画像加工部と、
前記各々の用紙に印刷される文書の画像に当該用紙に対応する前記分割画像を合成して、印刷データを作成する画像処理部と、を備える、
ことを特徴とする画像処理装置。
【請求項２】
乱数を発生する乱数発生部、を更に備え、
前記付加画像加工部は、前記乱数に基づいて前記付加画像の形態を変更し、各々の前記隣り合う用紙を跨ぐ位置に、形態が異なる前記付加画像を配置する、
ことを特徴とする請求項１に記載の画像処理装置。
【請求項３】
前記付加画像の形態は、前記付加画像の形成位置、分割位置、回転角、倍率、縦横比率のいずれか１つを含む、
ことを特徴とする請求項２に記載の画像処理装置。
【請求項４】
前記画像処理部は、更に、前記各々の用紙に印刷される文書の画像に当該用紙に対応する前記分割画像の元となる前記付加画像を識別可能に合成する、
ことを特徴とする請求項１乃至３のいずれか一に記載の画像処理装置。
【請求項５】
前記分割画像を合成したページのプレビューを表示部に表示させる表示制御部を更に備える、
ことを特徴とする請求項１乃至４のいずれか一に記載の画像処理装置。
【請求項６】
前記付加画像は、印鑑の印影、サイン、記号、図形のいずれかである、
ことを特徴とする請求項１乃至５のいずれか一に記載の画像処理装置。
【請求項７】
文書の印刷を指示する装置で動作する印刷制御プログラムであって、
前記装置を、
前記文書に合成する付加画像を取得する付加画像取得部、
前記文書が印刷される用紙を長辺同士又は短辺同士が当接又は相重なるように順番に並べた時に、隣り合う用紙を跨ぐ位置に前記付加画像を配置し、前記隣り合う用紙の境界で前記付加画像を分割して、各々の用紙に対応する分割画像を作成する付加画像加工部、
前記各々の用紙に印刷される文書の画像に当該用紙に対応する前記分割画像を合成して、印刷データを作成する画像処理部、として機能させる、
ことを特徴とする印刷制御プログラム。
【請求項８】
前記装置を、更に、
乱数を発生する乱数発生部、として機能させ、
前記付加画像加工部は、前記乱数に基づいて前記付加画像の形態を変更し、各々の前記隣り合う用紙を跨ぐ位置に、形態が異なる前記付加画像を配置する、
ことを特徴とする請求項７に記載の印刷制御プログラム。
【請求項９】
前記付加画像の形態は、前記付加画像の形成位置、分割位置、回転角、倍率、縦横比率のいずれか１つを含む、
ことを特徴とする請求項８に記載の印刷制御プログラム。
【請求項１０】
前記画像処理部は、更に、前記各々の用紙に印刷される文書の画像に当該用紙に対応する前記分割画像の元となる前記付加画像を識別可能に合成する、
ことを特徴とする請求項７乃至９のいずれか一に記載の印刷制御プログラム。
【請求項１１】
前記装置を、更に、
前記分割画像を合成したページのプレビューを表示部に表示させる表示制御部、として機能させる、
ことを特徴とする請求項７乃至１０のいずれか一に記載の印刷制御プログラム。
【請求項１２】
前記付加画像は、印鑑の印影、サイン、記号、図形のいずれかである、
ことを特徴とする請求項７乃至１１のいずれか一に記載の印刷制御プログラム。
【発明の詳細な説明】
【技術分野】
【０００１】
本発明は、画像処理装置及び印刷制御プログラムに関し、特に、文書の改竄を検出可能に印刷する画像処理装置及び印刷制御プログラムに関する。
【背景技術】
【０００２】
紙媒体に印刷された文書は、捺印や署名などで文書の唯一性を担保することが一般的である。一方、電子化された文書データでは、配布やコピーなどが比較的簡単に行えるため、唯一性を担保することが難しい。そこで、近年では、文書データに対して電子印鑑や電子署名などを行い、文書データの唯一性を担保することが一般的に行われている（例えば、下記特許文献１〜４参照）。
【先行技術文献】
【特許文献】
【０００３】
【特許文献１】特開２００３−６３６１号公報
【特許文献２】特開２００４−２３５９１３号公報
【特許文献３】特開２００２−２９８０７３号公報
【特許文献４】特開２００２−３１２７１４号公報
【発明の概要】
【発明が解決しようとする課題】
【０００４】
電子印鑑システムによって文書データの唯一性を担保する場合は、電子印鑑が唯一のものであることを登録、参照するサーバと、登録された電子印鑑と、電子印鑑を認識するデバイスと、電子印鑑の印影を文書に挿入するためのソフトウェアなどが必要であり、システム構成が複雑になるという問題がある。
【０００５】
また、電子印鑑で捺印された文書データは、電子データとしては唯一性が保たれるものの、一旦この文書が印刷されると、ページの挿入や削除などの改竄が容易になるため、印刷された文書の正当性の保証が難しくなるという問題がある。
【０００６】
本発明は、上記問題点に鑑みてなされたものであって、その主たる目的は、改竄を検出可能にして印刷された文書の正当性を保証することができる画像処理装置及び印刷制御プログラムを提供することにある。
【課題を解決するための手段】
【０００７】
上記目的を達成するため、本発明は、通信ネットワークに接続された機器から取得した文書、若しくは、画像読取部で読み取った文書を加工して印刷データを作成する画像処理装置であって、前記文書に合成する付加画像を取得する付加画像取得部と、前記文書が印刷される用紙を長辺同士又は短辺同士が当接又は相重なるように順番に並べた時に、隣り合う用紙を跨ぐ位置に前記付加画像を配置し、前記隣り合う用紙の境界で前記付加画像を分割して、各々の用紙に対応する分割画像を作成する付加画像加工部と、前記各々の用紙に印刷される文書の画像に当該用紙に対応する前記分割画像を合成して、印刷データを作成する画像処理部と、を備えるものである。
【０００８】
また、本発明は、文書の印刷を指示する装置で動作する印刷制御プログラムであって、前記装置を、前記文書に合成する付加画像を取得する付加画像取得部、前記文書が印刷される用紙を長辺同士又は短辺同士が当接又は相重なるように順番に並べた時に、隣り合う用紙を跨ぐ位置に前記付加画像を配置し、前記隣り合う用紙の境界で前記付加画像を分割して、各々の用紙に対応する分割画像を作成する付加画像加工部、前記各々の用紙に印刷される文書の画像に当該用紙に対応する前記分割画像を合成して、印刷データを作成する画像処理部、として機能させるものである。
【発明の効果】
【０００９】
本発明の画像処理装置及び印刷制御プログラムによれば、改竄を検出可能にして印刷された文書の正当性を保証することができる。
【００１０】
その理由は、画像処理装置（印刷制御プログラム）では、文書が印刷される用紙を長辺同士又は短辺同士が当接又は相重なるように順番に並べた時に、隣り合う用紙を跨ぐ位置に、印影やサイン、記号、図形などの付加画像を配置し、隣り合う用紙の境界で付加画像を分割して、各々の用紙に対応する分割画像を作成し、各々の用紙に印刷される文書の画像に当該用紙に対応する分割画像を合成するため、隣り合う用紙の分割画像が組み合わせ可能か否かによって、印刷された文書の正当性が判断できるからである。
【００１１】
また、乱数に基づいて、各々の付加画像の形成位置や分割位置、回転角、倍率、縦横比率などの形態を変更するため、隣り合う用紙の分割画像のみが組み合わせ可能となるからである。
【図面の簡単な説明】
【００１２】
【図１】本発明の第１の実施例に係る画像処理装置の構成を示すブロック図である。
【図２】本発明の第１の実施例に係る付加画像及び分割画像の一例を示す図である。
【図３】本発明の第１の実施例に係る付加画像及び分割画像の他の例（分割位置を変更する例）を示す図である。
【図４】本発明の第１の実施例に係る付加画像及び分割画像の他の例（形成位置を変更する例）を示す図である。
【図５】本発明の第１の実施例に係る付加画像及び分割画像の他の例（回転角を変更する例）を示す図である。
【図６】本発明の第１の実施例に係る付加画像及び分割画像の他の例（倍率を変更する例）を示す図である。
【図７】本発明の第１の実施例に係る付加画像及び分割画像の他の例（縦横比率を変更する例）を示す図である。
【図８】本発明の第１の実施例に係る付加画像及び分割画像の他の例（用紙を重複させる例）を示す図である。
【図９】本発明の第１の実施例に係る付加画像及び分割画像の他の例（用紙を傾ける例）を示す図である。
【図１０】本発明の第１の実施例に係る付加画像及び分割画像の他の例（両面印刷と２in１の例）を示す図である。
【図１１】本発明の第１の実施例に係る付加画像及び分割画像の他の例（用紙毎に形成する例）を示す図である。
【図１２】本発明の第１の実施例に係る付加画像及び分割画像の他の例（図形を形成する例）を示す図である。
【図１３】本発明の第１の実施例に係る画像処理装置の動作を示すフローチャート図である。
【図１４】本発明の第１の実施例に係る画像処理装置の動作（ユーザ認証を行う動作）を示すフローチャート図である。
【図１５】本発明の第１の実施例に係る画像処理装置の動作（付加画像をランダムに加工、分割する動作）を示すフローチャート図である。
【図１６】本発明の第２の実施例に係る印刷制御システムの構成を模式的に示す図である。
【図１７】本発明の第２の実施例に係る印刷制御装置の構成を示すブロック図である。
【図１８】本発明の第２の実施例に係る印刷制御装置の動作を示すフローチャート図である。
【図１９】本発明の第３の実施例に係る印刷制御システムの構成を模式的に示す図である。
【発明を実施するための形態】
【００１３】
背景技術で示したように、文書データの唯一性を保証する方法として電子印鑑システムがあるが、電子印鑑システムでは、システム構成が複雑になると共に、一旦、文書データを用紙に印刷してしまうとページの挿入や削除などの改竄が容易であるため、オリジナルとの一致性の保証が難しくなる。
【００１４】
そこで、本発明の一実施の形態では、文書データに基づく文書を紙媒体に印刷する際に、印影やサイン、記号、図形などの付加画像をページ毎若しくは用紙毎に印刷するのではなく、文書が印刷される用紙を長辺同士又は短辺同士が当接又は相重なるように順番に並べた時に、隣り合う用紙を跨ぐ位置に付加画像を配置し、隣り合う用紙の境界で付加画像を分割して、各々の用紙に対応する分割画像を作成し、各々の用紙に印刷される文書の画像に当該用紙に対応する分割画像を合成する。また、同じ形態の付加画像を配置すると、用紙の挿入や削除などの改竄が分からなくなるため、付加画像の形成位置や分割位置、回転角、倍率、縦横比率などを乱数に基づいて設定し、付加画像毎に形態を変更する。
【００１５】
これにより、隣り合う用紙の分割画像が組み合わせ可能か否かによって、印刷された文書の正当性を判断することができる。
【実施例１】
【００１６】
上記した本発明の実施の形態についてさらに詳細に説明すべく、本発明の第１の実施例に係る画像処理装置及び印刷制御プログラムについて、図１乃至図１５を参照して説明する。図１は、本実施例の画像処理装置の構成を示すブロック図であり、図２乃至図１２は、付加画像及び分割画像の例を示す図である。また、図１３乃至図１５は、本実施例の画像処理装置の動作を示すフローチャート図である。
【００１７】
図１に示すように、本実施例の印刷制御システムは、プリンタや複合機（ＭＦＰ：Multi Function Peripheral）などの画像処理装置１０を含み、画像処理装置１０は、制御部１１、記憶部１２、通信部１３、操作部１４、表示部１５、画像読取部１６、画像処理部１７、印刷部１８などで構成される。
【００１８】
制御部１１は、ＣＰＵ（Central Processing Unit）とＲＯＭ（Read Only Memory）やＲＡＭ（Random Access Memory）などのメモリとで構成され、ＣＰＵは、ＲＯＭや記憶部１２に記憶したプログラムをＲＡＭに展開して実行し、画像処理装置１０全体を制御する。この制御部１１は、文書に付加する印影やサイン、記号、図形などの画像（以下、付加画像と呼ぶ。）を記憶部１２などから取得する付加画像取得部１１ａ、付加画像の配置や形状などの形態を設定するための乱数を発生する乱数発生部１１ｂ、必要に応じて乱数に基づいて付加画像を加工し、文書が印刷される用紙を長辺同士又は短辺同士が当接又は相重なるように順番に並べた時に、隣り合う用紙を跨ぐ位置に付加画像を配置し、隣り合う用紙の境界で付加画像を分割した画像（以下、分割画像と呼ぶ。）を作成する付加画像加工部１１ｃとして機能する。また、制御部１１は、必要に応じて、分割画像を合成したページのプレビューを表示部１５に表示させる表示制御部としても機能する。この付加画像取得部１１ａ、乱数発生部１１ｂ、付加画像加工部１１ｃ、表示制御部はハードウェアとして構成してもよいし、制御部１１を付加画像取得部１１ａ、乱数発生部１１ｂ、付加画像加工部１１ｃ、表示制御部として機能させるアプリケーション（本実施例では、割り印アプリケーションと呼ぶ。）として構成し、当該アプリケーションを制御部１１で実行させてもよい。
【００１９】
記憶部１２は、ＨＤＤ（Hard Disk Drive）などで構成され、付加画像のデータやユーザ認証のためのユーザ情報、文書データ、プログラムなどを記憶する。
【００２０】
通信部１３は、ＮＩＣ（Network Interface Card）やモデムなどのインターフェースであり、画像処理装置１０をＬＡＮ（Local Area Network）やＷＡＮ（Wide Area Network）などの通信ネットワークに接続し、文書データの送受信などを行う。
【００２１】
操作部１４は、ハードキーや表示部１５上に設けたタッチパネルなどであり、文書に付加画像を合成する指示や付加画像を選択する操作、付加画像の形態を変更する操作などを可能にする。
【００２２】
表示部１５は、ＬＣＤ（Liquid Crystal Display）などで構成され、文書に付加画像を合成する指示を受け付ける画面、付加画像を選択する画面、付加画像を合成した文書のプレビューを表示する画面などを表示する。
【００２３】
画像読取部１６は、文書を走査する光源と、文書で反射された光を電気信号に変換するＣＣＤ（Charge Coupled Devices）等のイメージセンサと、電気信号をＡ／Ｄ変換して文書データとして出力するＡ／Ｄ変換器等により構成される。
【００２４】
画像処理部１７は、記憶部１２に記憶された文書データ、通信部１３を介して取得した文書データ若しくは画像読取部１６で読み取った文書データの画像に、付加画像加工部１１ｃで作成した分割画像を合成して印刷データを作成する。
【００２５】
印刷部１８は、画像処理部１７で作成した印刷データに基づく画像を用紙に転写する。具体的には、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから紙媒体に２次転写し、更に定着装置で紙媒体にトナー像を定着させる処理を行う。
【００２６】
なお、図１は本実施例の画像処理装置１０の一例であり、その構成は適宜変更可能である。例えば、図１では、画像処理装置１０に印刷部１８を備える構成としているが、印刷部１８を独立させて、画像処理装置１０では印刷部１８に印刷を指示する構成としてもよい。また、図１では、画像処理装置１０に画像読取部１６を備える構成としているが、記憶部１２に記憶された文書データ若しくは通信部１３を介して取得した文書データを利用する場合は画像読取部１６を省略してもよい。
【００２７】
また、図１では、付加画像のデータを記憶部１２に記憶する構成としたが、印鑑やサインをスキャンして登録する場合は、印鑑の印面（名前などが刻印された面）を光学的に読み取って印鑑画像データとして出力する印鑑読取部や、サインを光学的に読み取ってサイン画像データとして出力したりするサイン読取部を備える構成としてもよい。印鑑読取部は、例えば、印鑑の印面を下にして保持する保持機構（例えば、円筒状の凹部）と、印面を走査する光源と、印面で反射された光を電気信号に変換するＣＣＤ等のイメージセンサと、電気信号をＡ／Ｄ変換し、更に表裏反転（鏡像に変換）して印鑑画像データとして出力するＡ／Ｄ変換器等により構成される。サイン読取部は、例えば、サインを書き込む入力機構（例えば、タッチパネル）と、タッチパネルからの電気信号をＡ／Ｄ変換してサイン画像データとして出力するＡ／Ｄ変換器等により構成される。なお、これらの読取部は、印鑑画像やサイン画像を取得できる構造であればよく、例えば、印鑑読取部は、柔軟性を有するシリコンゴム板などを印鑑で押圧した時に生じる凹凸を光学的に読み取って印鑑画像を取得する構造としてもよいし、サイン読取部は、ガラス面にペンのインクで記入したサインを光学的に読み取ってサイン画像を取得する構造としてもよい。
【００２８】
上記構成の画像処理装置１０の概略動作について説明する。画像処理装置１０は、通信部１３を用いて文書データを受信したり、画像読取部１６を用いて文書データを取得したりする。そして、操作部１４から、付加画像の合成が指示されると、付加画像取得部１１ａは、予めメモリや記憶部１２などに記憶若しくは印鑑読取部やサイン読取部で読み取った付加画像を取得し、乱数発生部１１ｂは、必要に応じて、付加画像の形態を変化させるための乱数を発生し、付加画像加工部１１ｃは、乱数に基づいて位置や角度、サイズなどを加工した後、文書が印刷される用紙を長辺同士又は短辺同士が当接又は相重なるように順番に並べた時に、隣り合う用紙を跨ぐ位置に付加画像を配置し、隣り合う用紙の境界で付加画像を分割して各々の用紙に対応する分割画像を作成する。そして、画像処理部１７は、各々の用紙に印刷される文書の画像に当該用紙に対応する分割画像を合成し、合成された画像は、操作部１４からの指示により、印刷部１８にて印刷される。
【００２９】
次に、付加画像の形成例について説明する。
【００３０】
図２は、同じ形態の付加画像（ここでは「印鑑」の文字からなる印影）を合成する例であり、図の左側は、隣り合う用紙（連続するページ）を跨ぐ位置に付加画像を配置した状態を示し、図の右側は、各々の用紙（ページ）に分割画像を合成した状態を示している。図２より、各々の用紙には、隣り合う用紙（連続するページ）を繋ぎ合わせた時に付加画像が完成するように分割画像（ここでは割り印）が合成されている。
【００３１】
この形態でも、分割画像が合成されていない用紙（ページ）が挿入された場合には、文書の改竄を容易に検出することができるが、用紙（ページ）の同じ位置に同じ形態の分割画像を合成した場合は、用紙（ページ）が抜けた場合でもその前後の用紙（ページ）の分割画像を組み合わせて付加画像が完成するため、用紙（ページ）の抜き取りを検出することができない。その場合は、各々の付加画像の形態を変えて、用紙（ページ）が抜けた場合にその前後の用紙（ページ）の分割画像で付加画像が完成しないようにすれば、文書の改竄を検出することができる。
【００３２】
付加画像の形態を変える方法として、例えば、図３に示すように、付加画像の分割位置を変更する方法がある。この方法では、用紙（ページ）が抜けた場合に、その前後の用紙（ページ）の分割画像を組み合わせても（例えば、２枚目が抜けた場合に、１枚目と３枚目を繋ぎ合わせても）付加画像は完成しないため、文書の改竄を確実に検出することができる。なお、分割位置は、一定の方向に徐々に移動させてもよいが、乱数発生部１１ｂで発生させた乱数に基づく位置に変更すれば、文書の改竄をより確実に検出することができる。
【００３３】
また、別の方法として、図４に示すように、付加画像の形成位置を変更する方法もある。この方法でも、用紙（ページ）が抜けた場合に、その前後の用紙（ページ）の分割画像を組み合わせても付加画像は完成しないため、文書の改竄を確実に検出することができる。この形成位置も、一定の方向に徐々に移動させてもよいが、乱数発生部１１ｂで発生させた乱数に基づく位置に変更すれば、文書の改竄をより確実に検出することができる。
【００３４】
また、別の方法として、図５に示すように、付加画像を回転させる方法もある。この方法でも、用紙（ページ）が抜けた場合に、その前後の用紙（ページ）の分割画像を組み合わせても付加画像は完成しないため、文書の改竄を確実に防止することができる。この回転角も、一定の方向に徐々に変化させてもよいが、乱数発生部１１ｂで発生させた乱数に基づく回転角に変更すれば、文書の改竄をより確実に検出することができる。
【００３５】
また、別の方法として、図６に示すように、付加画像を拡大／縮小して倍率を変更する方法もある。この方法でも、用紙（ページ）が抜けた場合に、その前後の用紙（ページ）を組み合わせても付加画像は完成しないため、文書の改竄を確実に検出することができる。この倍率も、一定の割合で徐々に変化させてもよいが、乱数発生部１１ｂで発生させた乱数に基づく倍率に変更すれば、文書の改竄をより確実に検出することができる。
【００３６】
また、別の方法として、図７に示すように、付加画像を縦長／横長に変形して縦横比率を変更する方法もある。この方法でも、用紙（ページ）が抜けた場合に、その前後の用紙（ページ）を組み合わせても付加画像は完成しないため、文書の改竄を確実に検出することができる。この縦横比率も、一定の割合で徐々に変化させてもよいが、乱数発生部１１ｂで発生させた乱数に基づく縦横比率に変更すれば、文書の改竄をより確実に検出することができる。
【００３７】
以上、付加画像の形態を変える方法として、付加画像の分割位置を変更する方法、付加画像の形成位置を変更する方法、付加画像を回転させる方法、付加画像の倍率を変更する方法、付加画像の縦横比率を変更する方法を例示したが、各々の付加画像を区別できる方法であればよく、例えば、付加画像の色や線の太さを変えてもよい。また、上記付加画像の形態は、個別に変更してもよいし、これらを任意に組み合わせて変更してもよい。
【００３８】
また、図２乃至図７では、隣り合う用紙（連続するページ）の縁を繋ぎ合わせる場合を示したが、例えば、図８に示すように、隣り合う用紙（連続するページ）をその一部が重なり合う状態で、隣り合う用紙（連続するページ）を跨ぐ位置に付加画像を配置してもよい。この場合において、付加画像は、図２に示すように、同じ形態としてもよいし、図３乃至図７に示すように、分割位置や形成位置、回転角、倍率、縦横比率のいずれかを変化させてもよい。
【００３９】
また、図２乃至図８では、隣り合う用紙（連続するページ）を平行に繋ぎ合わせる場合を示したが、例えば、図９に示すように、隣り合う用紙（連続するページ）を傾けた状態で、隣り合う用紙（連続するページ）を跨ぐ位置に付加画像を配置してもよい。この場合においても、付加画像は、図２のように同じ形態としてもよいし、図３乃至図７のように、分割位置、形成位置、回転角、倍率、縦横比率のいずれかを変化させてもよい。
【００４０】
また、図２乃至図９では、片面印刷を前提にして、各々の用紙の一方の面（文書のページ画像が印刷される面）のみに付加画像を配置したが、両面印刷の場合は双方の面に付加画像を配置してもよい。例えば、図１０（ａ）に示すように、１枚目の用紙の表面が第１ページとなる場合は、用紙の表面を並べた（奇数ページを並べた）状態で、隣り合う用紙を跨ぐ位置に付加画像を配置すると共に、用紙の裏面を並べた（偶数ページを並べた）状態で、隣り合う用紙を跨ぐ位置に付加画像を配置することもできる。この場合においても、付加画像は、図２のように同じ形態としてもよいし、図３乃至図７のように、分割位置、形成位置、回転角、倍率、縦横比率のいずれかを変化させてもよい。
【００４１】
また、図２乃至図９では、各々の用紙に１ページの画像が配置される場合を示したが、各々の用紙に複数ページの画像が配置される場合（例えば、２in１や４in１）の場合も同様に適用することができる。例えば、図１０（ｂ）に示すように、各々の用紙に２ページの画像が配置される場合は、用紙を順番に並べた状態で、隣り合う用紙（図の場合は、偶数ページとその次の奇数ページ）を跨ぐ位置に付加画像を配置すればよい。この場合においても、付加画像は、図２のように同じ形態としてもよいし、図３乃至図７のように、分割位置、形成位置、回転角、倍率、縦横比率のいずれかを変化させてもよい。
【００４２】
また、図２乃至図１０では、用紙の短辺同士が当接若しくは相重なるように並べる場合を示したが、用紙の長辺同士が当接若しくは相重なるように並べ、用紙の長辺側に付加画像を配置してもよいし、用紙の短辺側及び長辺側の双方に付加画像を配置してもよい。
【００４３】
また、図２乃至図１０では、隣り合う用紙を跨ぐ位置に付加画像を配置したが、例えば、図１１に示すように、各々の用紙を折り返した位置に付加画像を配置することもできる。この形態では、用紙（ページ）が抜けたことは検出できないが、各々の用紙（ページ）が正当であることは確認することができる。
【００４４】
また、図２乃至図１１では、付加画像として印影を用いる場合を示したが、サインを用いる場合も同様に適用することができる。また、本実施例の付加画像は、分割画像を組み合わせることによって文書の改竄を検出できるものであればよく、記号、図形などとすることもできる。例えば、図１２に示すように、隣り合う用紙（連続するページ）を跨ぐ位置に多角形や星形などの図形を合成すれば、用紙（ページ）が抜けた場合に、その前後の用紙（ページ）の分割画像を組み合わせても図形は完成しないため（図１２（ａ）参照）、文書の改竄を検出することができる。
【００４５】
但し、単純な記号や図形などでは、隣り合っていない用紙（連続していないページ）の分割画像を組み合わせて付加画像が形成される場合がある。例えば、１枚目と２枚目の用紙を跨ぐ位置に△の図形を形成し、２枚目と３枚目の用紙を跨ぐ位置に▽の図形を形成した場合、２枚目の用紙を抜いて１枚目と３枚目の用紙を組み合わせると◇の図形が形成される場合があり、この場合は、この◇の図形が付加画像として正しい図形であるか否かを判断することができない。
【００４６】
そこで、単純な記号や図形などを用いる場合は、図１２（ｂ）に示すように、その用紙に合成する分割画像の元となる付加画像を表す画像（付加画像そのものでもよいし、付加画像を拡大／縮小した画像でもよい。これらを総称して基準画像と呼ぶ。）を各々の用紙（ページ）に合成し、その基準画像を参照することによって、分割画像を組み合わせた画像が正しい付加画像であるか否かを確認することができる。なお、ここでは付加画像が単純な記号や図形などの場合に基準画像を合成する構成としたが、付加画像が印鑑の印影やサインなどの場合であっても、同様に基準画像を合成することによって改竄を確実に検出することができる。
【００４７】
次に、本実施例の画像処理装置１０を用いて付加画像を合成する手順について、図１３のフローチャート図を参照して説明する。
【００４８】
まず、ユーザ操作に従って、分割画像（割り印）を合成する文書データを取得する（Ｓ１０１）。この文書データは、画像処理装置１０の記憶部１２などに記憶されている文書データとしてもよいし、通信部１３を介して接続されたコンピュータ装置やサーバなどから取得した文書データとしてもよい。また、画像処理装置１０に画像読取部１６を備える場合は画像読取部１６で読み取った文書データとしてもよい。
【００４９】
次に、ユーザ操作に従って、分割画像を合成するか否かを判断し（Ｓ１０２）、分割画像を合成しない場合は処理を終了する。一方、分割画像を合成する場合は、分割画像を自動的に作成するか否かを判断する（Ｓ１０３）。
【００５０】
分割画像を自動的に作成しない場合は、付加画像取得部１１ａは、予め記憶部１２などに記憶されている付加画像（印影）を取得し、ユーザ操作に従って、文書が印刷される用紙を長辺同士又は短辺同士が当接又は相重なるように順番に並べた時に、隣り合う用紙を跨ぐ位置に付加画像を配置し、付加画像加工部１１ｃは、隣り合う用紙の境界で付加画像を分割して分割画像を作成する（Ｓ１０４）。その後、画像処理部１７は、各用紙に印刷される文書の画像に分割画像を合成して印刷データを作成し、印刷部１８は、この印刷データに基づいて印刷を実行する（Ｓ１０５）。
【００５１】
一方、分割画像を自動的に作成する場合は、付加画像取得部１１ａは、予め記憶部１２などに記憶されている付加画像を取得し、付加画像加工部１１ｃは、乱数発生部１１ｂで発生した乱数に基づいて、付加画像の分割位置、形成位置、回転角、倍率、縦横比率の中から選択される１以上の形態を設定し、隣り合う用紙を跨ぐ位置に、設定した形態の付加画像を配置し、隣り合う用紙の境界で付加画像を分割して分割画像を作成する（Ｓ１０６）。次に、必要に応じて、制御部１１（表示制御部）は、表示部１５に、分割画像を合成したページのプレビュー画像を表示し（Ｓ１０７）、ユーザが確認したら、画像処理部１７は、各用紙に印刷される文書の画像に分割画像を合成した印刷データを作成し、印刷部１８は、この印刷データに基づいて印刷を実行する（Ｓ１０８）。
【００５２】
次に、ユーザ認証を行う場合の手順について、図１４のフローチャート図を参照して説明する。
【００５３】
まず、制御部１１は、表示部１５に所定の認証画面を表示させて、ユーザにサインインを促す（Ｓ２０１）。そして、ユーザがＩＤやパスワードなどを入力してサインインすると、制御部１１は、予め記憶部１２に記憶されたユーザ情報に基づいて、サインインしたユーザを認証する（Ｓ２０２）。
【００５４】
ユーザが認証されたら、ユーザ操作に従って、分割画像（割り印）を合成する文書データを取得し（Ｓ２０３）、分割画像を自動的に作成するか否かを判断する（Ｓ２０４）。
【００５５】
分割画像を自動的に作成しない場合は、付加画像取得部１１ａは、予め記憶部１２などに記憶されている付加画像（印影）を取得し、ユーザ操作に従って、隣り合う用紙を跨ぐ位置に付加画像を配置する（Ｓ２０５）。
【００５６】
次に、制御部１１は、付加画像がログインユーザに関連付けて登録されているかを判断し（Ｓ２０６）、付加画像が登録されている場合は、付加画像加工部１１ｃは、ユーザ操作に従って、任意の分割位置、形成位置、回転角度、倍率、縦横比率で付加画像を加工し（Ｓ２０７）、画像処理部１７は、各用紙に印刷される文書の画像に分割画像を合成した印刷データを作成し、印刷部１８は、この印刷データに基づいて印刷を実行する（Ｓ２０８）。また、付加画像が登録されていない場合は、制御部１１は、ユーザに印鑑の登録漏れを通知する画面を表示部に表示させて（Ｓ２０９）、処理を終了する。
【００５７】
一方、分割画像を自動的に作成する場合は、付加画像取得部１１ａは、予め記憶部１２などに記憶されている付加画像を取得し、付加画像加工部１１ｃは、乱数発生部１１ｂで発生した乱数に基づいて、付加画像の分割位置、形成位置、回転角、倍率、縦横比率の中から選択される１以上の形態を設定し、隣り合う用紙を跨ぐ位置に、設定した形態の付加画像を配置し、隣り合う用紙の境界で付加画像を分割して分割画像を作成する（Ｓ２１０）。次に、必要に応じて、制御部１１（表示制御部）は、表示部１５に、分割画像を合成したページのプレビュー画像を表示し（Ｓ２１１）、ユーザが確認したら、画像処理部１７は、各用紙に印刷される文書の画像に分割画像を合成した印刷データを作成し、印刷部１８は、この印刷データに基づいて印刷を実行する（Ｓ２１２）。
【００５８】
次に、付加画像をランダムに加工、分割する処理について、図１５のフローチャート図を参照して説明する。
【００５９】
まず、ユーザに付加画像（印影）を選択させ（Ｓ３０１）、制御部１１は、選択された付加画像を一時メモリに記憶する（Ｓ３０２）。
【００６０】
次に、付加画像加工部１１ｃは、乱数発生部１１ｂで発生した乱数に基づいて、回転角、Ｘ方向の拡大縮小倍率、Ｙ方向の拡大縮小倍率、Ｘ方向の形成位置、Ｙ方向の分割位置の少なくとも１つを計算して（Ｓ３０２〜Ｓ３０７）、付加画像の加工条件を設定する。
【００６１】
次に、付加画像加工部１１ｃは、一時メモリに記憶した付加画像を読み出し、設定した回転角、拡大縮小倍率、形成位置、分割位置に基づいて、分割画像Ａ、Ｂを作成する（Ｓ３０８）。そして、通常の片面印刷の場合は、分割画像Ａをｐページの文書画像に合成し（Ｓ３０９）、分割画像Ｂをｐ＋１ページの文書画像に合成する（Ｓ３１０）。
【００６２】
そして、全てのページの処理が終了したかを判断し（Ｓ３１１）、未処理のページがあれば、Ｓ３０３に戻って同様の処理を繰り返す。
【００６３】
以上説明したように、本実施例の画像処理装置１０は、ユーザが付加画像の合成を指示すると、予め記憶若しくはスキャンして得た付加画像を加工し、文書が印刷される用紙を長辺同士又は短辺同士が当接又は相重なるように順番に並べた時に、隣り合う用紙を跨ぐ位置に付加画像を配置し、隣り合う用紙の境界で付加画像を分割して分割画像を作成し、各々の用紙に印刷される文書の画像に当該用紙に対応する分割画像を合成するため、分割画像を組み合わせて付加画像が完成するか否かに基づいて、文書が適正に印刷されているかを確認することができる。
【実施例２】
【００６４】
次に、本発明の第２の実施例に係る画像処理装置及び印刷制御プログラムについて、図１６乃至図１８を参照して説明する。図１６は、本実施例の印刷制御システムの構成を模式的に示す図であり、図１７は、本実施例の印刷制御装置の構成を示すブロック図である。また、図１８は、本実施例の印刷制御装置の動作を示すフローチャート図である。
【００６５】
前記した第１の実施例では、画像処理装置１０単体で動作する場合を示したが、例えば、図１６に示すように、画像処理装置１０に印刷を指示する印刷制御装置２０が接続されるシステムにおいて、印刷制御装置２０側で、文書に分割画像（割り印）を合成する処理を実行することもできる。
【００６６】
この印刷制御装置２０は、制御部２１、記憶部２２、通信部２３、操作部２４、表示部２５などで構成される。
【００６７】
制御部２１は、ＣＰＵとＲＯＭやＲＡＭなどのメモリとで構成され、ＣＰＵは、ＲＯＭや記憶部２２に記憶したプログラムをＲＡＭに展開して実行し、印刷制御装置２０全体を制御する。また、制御部２１は、文書データを画像処理装置１０が読み取り可能な言語（ＰＣＬ（Printer Control Language）やPostScriptなどのＰＤＬ（Page Description Language））の印刷データに変換するプリンタドライバとして機能し、このプリンタドライバは、文書に付加する印影やサイン、記号、図形などの付加画像を記憶部２２などから取得する付加画像取得部２１ａ、付加画像の形態を設定するための乱数を発生する乱数発生部２１ｂ、必要に応じて乱数に基づいて付加画像を加工し、文書が印刷される用紙を長辺同士又は短辺同士が当接又は相重なるように順番に並べた時に、隣り合う用紙を跨ぐ位置に付加画像を配置し、隣り合う用紙の境界で付加画像を分割して分割画像を作成する付加画像加工部２１ｃ、各々の用紙に印刷される文書の画像に当該用紙に対応する分割画像を合成する画像処理部２１ｄなどとして機能する。また、プリンタドライバは、必要に応じて、分割画像を合成したページのプレビューを表示部２５に表示させる表示制御部としても機能する。
【００６８】
記憶部２２は、ＨＤＤなどで構成され、付加画像のデータやユーザ認証のためのユーザ情報、文書データ、プログラムなどを記憶する。
【００６９】
通信部２３は、ＮＩＣやモデムなどのインターフェースであり、印刷制御装置２０をＬＡＮやＷＡＮなどの通信ネットワークに接続し、文書データの送受信などを行う。
【００７０】
操作部２４は、マウスやキーボードなどであり、文書に付加画像を合成する指示や付加画像を選択する操作、付加画像の形態を変更する操作などを可能にする。
【００７１】
表示部２５は、ＬＣＤなどで構成され、文書に付加画像を合成する指示を受け付ける画面、付加画像を選択する画面、付加画像を合成した文書のプレビューを表示する画面、プリンタドライバの設定画面などを表示する。
【００７２】
なお、画像処理装置１０の構成は前記した第１の実施例と同様であるが、本実施例では、印刷制御装置２０側で文書に分割画像（割り印）を合成する処理を実行するため、画像処理装置１０の制御部１１を、付加画像取得部１１ａ、乱数発生部１１ｂ、付加画像加工部１１ｃとして機能させる必要はない。
【００７３】
次に、本実施例の印刷制御装置２０を用いて付加画像を合成する手順について、図１８のフローチャート図を参照して説明する。
【００７４】
まず、ユーザ操作に従って、分割画像（割り印）を合成する文書データを取得する（Ｓ４０１）。この文書データは、印刷制御装置２０の記憶部２２などに記憶されている文書データとしてもよいし、アプリケーションを用いて作成した文書データとしてもよいし、通信部１３を介して接続されたサーバなどから取得した文書データとしてもよい。
【００７５】
次に、ユーザ操作に従って、分割画像を合成するか否かを判断し（Ｓ４０２）、分割画像を合成しない場合は処理を終了する。一方、分割画像を合成する場合は、分割画像を自動的に作成するか否かを判断する（Ｓ４０３）。
【００７６】
分割画像を自動的に作成しない場合は、付加画像取得部２１ａは、予め記憶部２２などに記憶されている付加画像（印影）を取得し、ユーザ操作に従って、文書が印刷される用紙を長辺同士又は短辺同士が当接又は相重なるように順番に並べた時に、隣り合う用紙を跨ぐ位置に付加画像を配置し、付加画像加工部２１ｃは、隣り合う用紙の境界で付加画像を分割して分割画像を作成する（Ｓ４０４）。その後、画像処理部２１ｄは、各用紙に印刷される文書の画像に分割画像を合成し、プリンタドライバは、印刷データを作成する（Ｓ４０５）。
【００７７】
一方、分割画像を自動的に作成する場合は、付加画像取得部２１ａは、予め記憶部２２などに記憶されている付加画像を取得し、付加画像加工部２１ｃは、乱数発生部２１ｂで発生した乱数に基づいて、付加画像の分割位置、形成位置、回転角、倍率、縦横比率の中から選択される１以上の形態を設定し、隣り合う用紙を跨ぐ位置に、設定した形態の付加画像を配置し、隣り合う用紙の境界で付加画像を分割して分割画像を作成する（Ｓ４０６）。次に、必要に応じて、制御部２１（表示制御部）は、表示部２５に、分割画像を合成したページのプレビュー画像を表示し（Ｓ４０７）、ユーザが確認したら、画像処理部２１ｄは、各用紙に印刷される文書の画像に分割画像を合成し、プリンタドライバは、印刷データを作成する（Ｓ４０８）。
【００７８】
このように、本実施例の印刷制御装置２０は、ユーザが付加画像の合成を指示すると、予め記憶した付加画像を加工して分割し、文書が印刷される用紙を長辺同士又は短辺同士が当接又は相重なるように順番に並べた時に、隣り合う用紙を跨ぐ位置に付加画像を配置し、隣り合う用紙の境界で付加画像を分割して分割画像を作成し、各々の用紙に印刷される文書の画像に当該用紙に対応する分割画像を合成するため、分割画像を組み合わせて付加画像が完成するか否かに基づいて、文書が適正に印刷されているかを確認することができる。
【実施例３】
【００７９】
次に、本発明の第３の実施例に係る画像処理装置及び印刷制御プログラムについて、図１９を参照して説明する。図１９は、本実施例の印刷制御システムの構成を模式的に示す図である。
【００８０】
前記した第２の実施例では、印刷制御装置２０が画像処理装置１０に印刷指示を行う場合について示したが、近年の画像処理装置１０は、図１９に示すように、表示デバイスを備えた電子ペーパーや電子ブックなどの情報閲覧装置３０を保持装置４０で挿抜可能に保持するものもあり、このような画像処理装置１０では、文書を紙媒体に印刷するか、情報閲覧装置３０に表示させるかが選択可能である。
【００８１】
上記構成において、例えば、情報閲覧装置３０で文書データを閲覧した後、画像処理装置１０に印刷を指示する場合は、情報閲覧装置３０に、文書に付加する印影やサイン、記号、図形などの付加画像を記憶部などから取得する付加画像取得部、付加画像の形態を設定するための乱数を発生する乱数発生部、必要に応じて乱数に基づいて付加画像を加工し、隣り合う用紙を跨ぐ位置に付加画像を配置し、文書が印刷される用紙を長辺同士又は短辺同士が当接又は相重なるように順番に並べた時に、隣り合う用紙の境界で付加画像を分割して分割画像を作成する付加画像加工部、各々の用紙に印刷される文書の画像に当該用紙に対応する分割画像を合成する画像処理部、分割画像を合成したページのプレビューを表示部に表示させる表示制御部などとしての機能を持たせることにより、分割画像が合成された文書を印刷することができる。また、情報閲覧装置３０にタッチパネルを備える場合は、タッチパネル上で描画したサインや記号、図形などを付加画像として文書に合成することができる。
【００８２】
また、第１の情報閲覧装置３０に表示されている文書データを、第２の情報閲覧装置３０に表示させる際に、第１の情報閲覧装置３０で文書に付加画像を配置して第２の情報閲覧装置３０に送信し、第２の情報閲覧装置３０では各ページに分割画像（割り印）が合成された文書を表示させることも可能である。
【００８３】
なお、本発明は上記実施例に限定されるものではなく、本発明の趣旨を逸脱しない限りにおいて、その構成や制御は適宜変更可能である。
【００８４】
例えば、上記各実施例では、文書が印刷される用紙を長辺同士又は短辺同士が当接又は相重なるように順番に並べた時に、隣り合う２枚の用紙（連続する２ページ）を跨ぐ位置に付加画像を合成する場合について記載したが、例えば、４枚の用紙（連続する４ページ）を跨ぐ位置に（すなわち、４枚の用紙を２行２列に配置し、それらの用紙の角が集合する部分に）付加画像を合成する構成とすることもができる。
【産業上の利用可能性】
【００８５】
本発明は、文書に改竄を検出するための処理を行って印刷若しくは印刷指示を行う装置及び当該装置で動作するプログラム並びに当該装置を含むシステムに利用可能である。
【符号の説明】
【００８６】
１０  画像処理装置
１１  制御部
１１ａ  付加画像取得部
１１ｂ  乱数発生部
１１ｃ  付加画像加工部
１２  記憶部
１３  通信部
１４  操作部
１５  表示部
１６  画像読取部
１７  画像処理部
１８  印刷部
２０  印刷制御装置
２１  制御部
２１ａ  付加画像取得部
２１ｂ  乱数発生部
２１ｃ  付加画像加工部
２１ｄ  画像処理部
２２  記憶部
２３  通信部
２４  操作部
２５  表示部
３０  情報閲覧装置
４０  保持装置
【図１】
2012119789.tif 000003
【図２】
2012119789.tif 000004
【図３】
2012119789.tif 000005
【図４】
2012119789.tif 000006
【図５】
2012119789.tif 000007
【図６】
2012119789.tif 000008
【図７】
2012119789.tif 000009
【図８】
2012119789.tif 000010
【図９】
2012119789.tif 000011
【図１０】
2012119789.tif 000012
【図１１】
2012119789.tif 000013
【図１２】
2012119789.tif 000014
【図１３】
2012119789.tif 000015
【図１４】
2012119789.tif 000016
【図１５】
2012119789.tif 000017
【図１６】
2012119789.tif 000018
【図１７】
2012119789.tif 000019
【図１８】
2012119789.tif 000020
【図１９】
2012119789.tif 000021